(57)【要約】【課題】  建築時クローザのストップ機構を作動させて扉を所定の開角度に固定することができ、施工後はストップ機構が働かないようにする。【解決手段】  クリックばね７に関しクリックボール６とは反対側におけるアジャストアーム５内空間に、係止体９を止めねじ１１により取り外し可能に固定し、この係止体９とクリックボール６との間にクリックばね７を弾装する。施工後は止めねじ１１を外し、係止体９を移動させることによりクリックボール６を自由にする。【選択図】  図２
2006161541.tif 000002
【特許請求の範囲】
【請求項１】
ブラケット回りの角度位置を所定の角度位置に固定され、先端に係合切欠を形成したカム板と、ブラケット軸の回りで回動自在に支承されたアジャストアームの中空の基部に、上記係合切欠に係合可能に臨むクリックボールと、これをブラケット軸方向に付勢するクリックばねとを有するものにおいて、クリックばねに関しクリックボールとは反対側におけるアジャストアーム内空間に、係止体を取り外し可能に固定し、この係止体とクリックボールとの間にクリックばねを弾装するようにしたことを特徴とするクローザのストップ機構切替装置。
【請求項２】
ブラケット回りの角度位置を所定の角度位置に固定され、先端に係合切欠を形成したカム板と、ブラケット軸の回りで回動自在に支承されたアジャストアームの中空の基部に、上記係合切欠に係合可能に臨むクリックボールと、これをブラケット軸方向に付勢するクリックばねとを有するものにおいて、クリックばねに関しクリックボールとは反対側におけるアジャストアーム内空間に、係止体を取り外し可能に固定し、この係止体とクリックボールとの間にクリックばねを弾装すると共に、係止体に関しクリックばねとは反対側におけるアジャストアームを貫通するようにして、少なくとも１本の閉塞ピンを打込んだことを特徴とするクローザのストップ機構切替装置。
【発明の詳細な説明】
【技術分野】
【０００１】
この発明は、クローザのストップ機構切替装置（以下単に切替装置という）に係り、特に、共同住宅の施工中にはクローザのストップ機構を作動させ、扉の開放を可能にして工事を容易にし、施主に引き渡しの後には簡単な操作でストップ機構が働かないようにする切替装置に関する。
【０００２】
なお、ここでストップ機構とは、クローザをストップさせるものではなく、ドアのクローザに制御される扉を所定の開度に保つ機構を言うものとする。
【背景技術】
【０００３】
クローザのストップ機構（以下単にストップ機構という）は、例えば後記の特許文献１に記載されているように周知であるが、この発明を理解するためにはストップ機構を理解しなければならないので、ここでは簡単に説明する。
【０００４】
ストップ機構は、例えば第１図及び第３図に示すように、ブラケット１回りの角度位置を所定の角度位置に固定された涙滴形の板状体で、先端に円弧の一部をなす係合切欠２（図３参照）を形成したカム板３を有している。
【０００５】
このカム板３と対になって、ブラケット軸４の回りを回動自在に案内されたクローザのアジャストアーム５の中空の基部に公知のクリックボール６とクリックばね７とが収納されており、これらと上記カム板３とは公知のクリック機構８を構成している。
【０００６】
そして、クリックボール６がカム板の係合切欠２と係合してクリック機構８が作動したとき、アジャストアーム５がブラケット軸４の所定の角度位置に係止されるから、これに連動して回動する図示しない扉の開度が所定の角度位置で準安定的に固定され、例えば荷物の搬入等を容易にする。
【特許文献１】特開２００１−３０３８４７
【発明の開示】
【発明が解決しようとする課題】
【０００７】
一方、共同住宅の扉口の扉は防火扉になっており、常時閉鎖しておく必要があるため、上記したストップ機構を装備していないのが普通である。
【０００８】
しかしながら、クローザにストップ機構が無いと、共同住宅の建築（施工）時、建築材料や家具等を室内に搬入するとき一々扉を手で押えたり、或いは扉の下端縁と床面との間に楔状のストッパーを挟まなくてはならず不便である。
【０００９】
そこで、この発明は、建築時ストップ機構を作動させて扉を所定の開角度に固定することができ、施工後、或いは部屋を施主に引き渡した後にはストップ機構が働かないようにする切替装置を提供することを目的としている。
【課題を解決するための手段】
【００１０】
上記の目的を達成するため、請求項１に記載の発明は、ブラケット回りの角度位置を所定の角度位置に固定され、先端に係合切欠を形成したカム板と、ブラケット軸の回りで回動自在に支承されたアジャストアームの中空の基部に、上記係合切欠に係合可能に臨むクリックボールと、これをブラケット軸方向に付勢するクリックばねとを有するものにおいて、クリックばねに関しクリックボールとは反対側におけるアジャストアーム内空間に、係止体を取り外し可能に固定し、この係止体とクリックボールとの間にクリックばねを弾装するようにしたことを特徴とする。
【００１１】
また、請求項２に記載の発明は、ブラケット回りの角度位置を所定の角度位置に固定され、先端に係合切欠を形成したカム板と、ブラケット軸の回りで回動自在に支承されたアジャストアームの中空の基部に、上記係合切欠に係合可能に臨むクリックボールと、これをブラケット軸方向に付勢するクリックばねとを有するものにおいて、クリックばねに関しクリックボールとは反対側におけるアジャストアーム内空間に、係止体を取り外し可能に固定し、この係止体とクリックボールとの間にクリックばねを弾装すると共に、係止体に関しクリックばねとは反対側におけるアジャストアームを貫通するようにして、少なくとも１本の閉塞ピンを打込んだことを特徴とする。
【発明の効果】
【００１２】
上記のように構成された請求項１に記載の発明による切替装置は、係止体が固定されているときには、クリックばねが係止体とクリックボールとの間で圧縮された状態にあり、クリックボールをブラケット軸方向に付勢するからストップ機構が作動するが、係止体を取り外すと、クリックばねが伸張して弾力が無くなり、ストップ機構が作動しなくなるので、ストップ機構の切り替えをする、という所期の効果を奏する。
【００１３】
また、請求項２に記載の発明による切替装置は、係止体に関しクリックばねとは反対側におけるアジャストアームを貫通するようにして、少なくとも１本の閉塞ピンを打込んであるので、施工後入居者がアジャストアームを分解して係止体を元の位置に戻し、ストップ機構の作動を復帰させることによる建物管理上の不都合を解消することができる。
【発明を実施するための最良の形態】
【００１４】
クリックボールを付勢するクリックばねの足掛としての係止体を、アジャストアーム内に取り外し可能に固定する、という簡単な構成で発明の目的を達成することができた。
【実施例１】
【００１５】
以下、この発明の実施例を図面を参照して説明する。
図１乃至図４は請求項１に記載の発明の第１の実施例を示し、これらの図において符号９は係止体を示し、図示の実施例における係止体９の形状は直方体である。
【００１６】
そして、この係止体９の寸法は、図１及び図３に示すように、アジャストアームの中空部内においてその長さ方向に移動可能に設定されている。
【００１７】
また、この係止体９は、アジャストアーム５の長さ方向における所定の位置に、止めねじ１１により、取り外し可能に固定されている。
【００１８】
すなわち、図１に示すように、係止体の中央部に付番しないねじ孔が係止体を上下方向に貫通するように形成されており、アジャストアーム５の下面、及びねじ孔を挿通した止めねじの先端を、アジャストアーム５の上面に形成された雌ねじ孔に螺合させることにより、止めねじ１１が係止体９を安定に、かつ取り外し可能に固定している。
【００１９】
上記のように構成された請求項１に記載の発明の第１の実施例において、図１及び図２に示すように係止体９がアジャストアームの長さ方向における所定の位置に固定されているときには、クリックばね７が圧縮された状態にあり、クリックボール６がカム板３方向に付勢されている。
【００２０】
そのため、クリックボール６がカム板の係合切欠２と整合する角度位置でアジャストアームが準安定的に固定され、ストップ機構が作動して扉が開放状態に保持される。
【００２１】
施工後施主等が止めねじ１１をドライバー等を使用してねじ外すと、図３及び図４に示すように、クリックばね７の弾力により係止体９がクリックボール６から離間する方向に押動される結果、クリックボール６に作用するクリックばね７の弾力が消失してストップ機構が作動しなくなり、このようにしてストップ機構の切り替えが行われる。
【実施例２】
【００２２】
図５及び図６は請求項１に記載の発明の第２の実施例を示し、これらの図において符号９は係止体を示し、この係止体９は図１乃至図４における係止体と均等である。
【００２３】
この第２の実施例における係止体９は、止めねじ１１の代りに、リング１２つきの係止ピン１３によってアジャストアーム５内に固定されている。
【００２４】
この場合、係止ピン１３は係止体９諸共アジャストアーム５を上下方向に貫通していて、クリップばね７の弾力は係止ピン１３とアジャストアーム５の嵌合部に担持されている。
【００２５】
したがって、この部分の摩擦係合によって係止ピン１３の長さ方向の位置は準安定的に保たれている。
【００２６】
図５及び図６に示すように係止体９が所定の位置に固定されているときには、ストップ機構が作動することは言うまでも無い。
【００２７】
施工後施主等がリング１２に指を通して係止ピン１３を引くと、係止ピンが引抜かれて（図示せず）、クリックばね７の弾力により係止体９がクリックボール６から離間する方向に押動される結果、クリックボール６に作用するクリックばね７の弾力が消失してストップ機構が作動しなくなり、このようにしてストップ機構の切り替えが行われることは前記した通りである。
【実施例３】
【００２８】
図７及び図８は請求項１に記載の発明の第３の実施例を示し、この実施例は、肩部に斜面１４を形成したブロック状の係止体９と、同様の構成のバランサー１５とをアジャストアーム５内に対称的に配置し、これら係止体９及びバランサー１９の間に、一端（下端）を逆三角形に成形した制御ブロック１６を図８に示すように載置する。
【００２９】
そして、アジャストアーム５の下面に開口する長穴１７（図８参照）を挿通し、制御ブロック１６を貫通してその上面に突出した止めねじ１１の先端を、ナット１８により固定する。
【００３０】
上記のように構成された請求項１に記載の発明の第３の実施例による切替装置は、クリックばね７の弾力を、係止体９と制御ブロック１６との間に楔作用を介して、止めねじの長さ方向の応力に変換し、内力として担持させる。
【００３１】
施工後施主等がナット１８を弛めてこれを止めねじ１１の先端から外すと、制御ブロック１６の拘束が解かれ、クリックばね７の弾力により係止体９に押圧される結果、楔作用により制御ブロック１６が上方に押出されると共に、クリックボール６から離間する方向に移動する。
【００３２】
その結果、クリックボール６に作用するクリックばね７の弾力が消失してストップ機構が作動しなくなり、このようにしてストップ機構の切り替えが行われることは前記した通りである。
【００３３】
なお、図７及び図８のように止めねじの先端にナット１８を螺合させる代りに、その先端を直径方向に貫通するピン穴を形成し（図示せず）、このピン穴に図９に示す割ピン１９を差込んで制御ブロック１６を固定してもよい。
【実施例４】
【００３４】
図１０乃至図１２は請求項２に記載の発明を示し、この発明においても、図１０及び図１１に示すように、クリックばね７に関しクリックボール６とは反対側におけるアジャストアーム５内空間に、係止体９を取り外し可能に固定し、この係止体９とクリックボール６との間にクリックばね７を弾装していることは、前記図１乃至図９に示すものと同様である。
【００３５】
図１０及び図１１に示す係止体９は、例えば短円柱体で、その中央部に直径方向に貫通する付番しないねじ穴を開口させてあり、このねじ穴の両端開口部に皿もみ部が形成されているが、上記した係止体９の構造はこの発明の必須の構成ではない。
【００３６】
なお、上記したようにねじ穴の開口に皿もみ部を形成しておくと、止めねじ１１をねじ穴に通すときに通し易い、という利点はある。
【００３７】
また、図示の実施例では、アジャストアーム５の止めねじ１１と螺合する外面下部に肉盛部２２が形成されており、この肉盛部２２に付番しない雌ねじ孔が上下方向に貫通するように形成されている。
【００３８】
図１０及び図１１は請求項２に記載された発明による切替装置が作動していない状態を示し、この状態ではクリック機構が作動してクローザのストッパ機構が作動可能である。
【００３９】
一方、請求項２に記載の発明による切替装置においては、図１０及び図１１に示すように、係止体９に関しクリックばね７とは反対側におけるアジャストアーム５を貫通するようにして、少なくとも１本の閉塞ピン２３が打込まれている。
【００４０】
上記のように構成された請求項２に記載の一実施例による切替装置は、施工後クローザのストッパ機構を不作動状態にするため、止めねじ１１（図１１参照）を取り外せば、図１２に示すように、クリックばね７の弾力により係止体９が自動的に作動位置から外れ、クリック機構が働かなくなることは前記したものと同様である。
【００４１】
なお、切替装置作動後、図１２に示すように、それまで止めねじ１１が捩じ込まれていたねじ穴にねじ孔隠しビス２４を捩じ込んでおけば、ねじ孔が見えなくなって見栄えが良い。
【００４２】
請求項２に記載した発明は、上記した請求項１に記載の発明による切替装置の機能に加えて、施工後入居者が切替装置を戻してクリック機構及びクローザのストッパ機構を作動させることによる建物管理上の不都合を解消する。
【００４３】
すなわち、図１乃至図９に示す切替装置は、容易ではないが、メーンアーム２１とアジャストアーム５とをリンク結合している連結ボルト２５を外し、アジャストアームを自由にした後、その先端部をねじ戻してアジャストアーム５からねじ外せば、その中空部開口から棒状の工具を押し入れて係止体９を元の作動位置に置き、止めねじ等によりこれを作動位置に係止することができる。
【００４４】
すると、クローザのストッパ機構が作動して、扉を開いた状態に固定することができ、常時閉鎖しておくことが必要な防火扉が開いた状態を保つことがある、という建物管理上不都合な事態が生じる。
【００４５】
一方、請求項２に記載の発明によれば、アジャストアーム５の中空部開口から見て係止体９の手前に閉塞ピン２３が立ちはだかっているので、係止体９を押動することができず、従って切替装置を復帰させることによる不都合を解消することができる。
【００４６】
なお、請求項２に記載の発明の実施にあたっては、図示の実施例に限定されることなく、種々に変形して実施することができる。
【００４７】
例えば、アジャストアーム５の長さ方向における位置を違えて、もう１本の閉塞ピン２３を、アジャストアーム５の中空部開口から見て十字形になるように打込んでも良い。
【００４８】
或いは、アジャストアーム５の長さ方向における位置を違えて、更にもう１本の閉塞ピン２３を、アジャストアーム５の中空部開口から見て＊（アスタリスク）字形になるように打込んでも良い。
【図面の簡単な説明】
【００４９】
【図１】請求項１に記載の発明の第一の実施例による切替装置を装着したクローザのアームの一部断面平面図で、切替装置が作動していない状態を示す。
【図２】その一部断面側面図。
【図３】請求項１に記載の発明の第一の実施例による切替装置を装着したクローザのアームの一部断面平面図で、切替装置が作動した状態を示す。
【図４】その一部断面側面図。
【図５】請求項１に記載の発明の第二の実施例による切替装置を装着したクローザのアームの一部断面平面図で、切替装置が作動していない状態を示す。
【図６】その一部断面側面図。
【図７】請求項１に記載の発明の第三の実施例による切替装置を装着したクローザのアームの一部断面平面図で、切替装置が作動していない状態を示す。
【図８】その一部断面側面図。
【図９】割ピンの平面図。
【図１０】請求項２に記載の発明の一実施例による切替装置を装着したクローザのアームの一部断面平面図で、切替装置が作動していない状態を示す。
【図１１】その一部断面側面図。
【図１２】請求項２に記載の発明の一実施例による切替装置を装着したクローザのアームの一部断面側面図で、切替装置が作動した状態を示す。
【符号の説明】
【００５０】
１  ブラケット
２  係合切欠
３  カム板
４  ブラケット軸
５  アジャストアーム
６  クリックボール
７  クリックばね
８  クリック機構
９  係止体
１１  止めねじ
１２  リング
１３  係止ピン
１４  傾斜面
１５  バランサー
１６  制御ブロック
１７  長孔
１８  ナット
１９  割ピン
２１  メーンアーム
２２  肉盛部
２３  閉塞ピン
２４  ねじ孔隠しビス
【図１】
2006161541.tif 000003
【図２】
2006161541.tif 000004
【図３】
2006161541.tif 000005
【図４】
2006161541.tif 000006
【図５】
2006161541.tif 000007
【図６】
2006161541.tif 000008
【図７】
2006161541.tif 000009
【図８】
2006161541.tif 000010
【図９】
2006161541.tif 000011
【図１０】
2006161541.tif 000012
【図１１】
2006161541.tif 000013
【図１２】
2006161541.tif 000014